(57)【要約】番組制御情報を生成送出する放送送信装置において、番組を連携する局の間で、共通の番組制御情報を生成および送信する方法を実現する。そのために、番組を連携する連携局の番組情報から番組情報セクションを生成する番組情報セクション生成手段と、番組情報セクションを繰り返し送出し、番組情報ストリームを作成する番組情報セクション送出手段と、連携局の１つまたは複数の番組に差し替える番組の番組情報から差替番組情報セクションを生成する差替番組情報セクション生成手段と、前記番組情報ストリーム中の差替対象の１つまたは複数の番組に対する番組情報セクションを、差替番組情報セクションで置き換えた差替番組情報ストリームを生成する番組情報ストリーム差替手段とを備え、番組情報ストリームと、差替番組情報ストリームを生成することにより、連携する局の間で番組制御情報を共有することができる。
2002078225.tif 000002
【特許請求の範囲】
【請求項１】
自局の番組の番組情報から、番組情報セクションを生成する番組情報セクション生成手段と、
前記番組情報セクションのうち、差し替えられる対象となった１つまたは複数の番組に対応する番組情報セクションを、連携局からの１つまたは複数の番組情報ストリーム中の対応する番組情報セクションで置き換えた差替番組情報ストリームを生成する番組情報ストリーム差替手段とを備えたことを特徴とする放送送信装置。
【請求項２】
前記番組情報ストリーム差替手段が、連携局からの番組の映像データおよび音声データと多重化した番組情報ストリームを受け取って、前記番組情報ストリームの中の、一部の番組情報セクションを映像データおよび音声データと分離して差し替えることを特徴とする請求項１記載の放送送信装置。
【請求項３】
前記番組情報セクションが、番組名、放送日時、番組内容などの番組に関する情報が記載される番組情報テーブルのＥＩＴであることを特徴とする請求項１記載の放送送信装置。
【請求項４】
前記番組情報ストリーム差替手段が、
他の連携局から番組情報ストリームを受け取る番組情報ストリーム取得手段と、
前記番組情報ストリーム取得手段により取得した番組情報ストリームの中から差し替える番組の番組情報セクションを抽出する番組情報セクション検出手段と、
この番組情報セクション検出手段により検出された番組情報セクションから差替番組情報セクションを生成する差替番組情報セクション生成手段と、
自局の番組情報ストリーム中の差し替えられる対象となった１つまたは複数の番組に対する番組情報セクションを前記差替番組情報セクションで置き換える番組情報セクション差替手段と、
前記番組情報セクション差替手段で置き換えた後の番組情報セクションを繰り返し送出し、自局の番組情報ストリームを作成する番組情報セクション送出手段とを備え、
連携局から番組情報ストリームを受け取って、差し替えられる対象の、自局の番組情報から生成した１つまたは複数の番組の番組情報セクションを、前記差替番組情報セクションで置き換えることを特徴とする請求項１記載の放送送信装置。
【請求項５】
番組情報ストリーム中の差し替え対象は、現在と次の番組に関する時系列データであるｐｆＥＩＴであることを特徴とする請求項４記載の放送送信装置。
【請求項６】
前記番組情報ストリーム差替手段に代えて、
他の連携局から番組情報ストリームを受け取る番組情報ストリーム取得手段と、
前記番組情報ストリーム取得手段により取得した番組情報ストリームの中から差し替える番組情報パケットを抽出する番組情報パケット検出手段と、
この番組情報パケット検出手段により検出された番組情報パケットから差替番組情報パケットを生成する差替番組情報パケット生成手段と、
前記番組情報セクション生成手段から受け取った自局の番組情報セクションを繰り返し送出し、自局の番組情報ストリームを作成する番組情報セクション送出手段と、
前記自局の番組情報ストリーム中の差し替えられる対象となった１つまたは複数の番組に対する番組情報パケットを、差替番組情報の内容で置き換えた差替番組情報ストリームを生成する番組情報パケット差替手段とを備え、
連携局から番組情報ストリームを受け取って、番組情報ストリームを構成する番組情報パケットの内容を置き換えることを特徴とする請求項１記載の放送送信装置。
【請求項７】
番組情報パケット中の差し替え対象は、現在と次の番組に関する時系列データであるｐｆＥＩＴであることを特徴とする請求項６記載の放送送信装置。
【請求項８】
前記番組情報ストリーム差替手段が、差替番組の放送時間を指定して前記番組情報ストリーム中の差替対象の番組を置き換えることを特徴とする請求項４記載の放送送信装置。
【請求項９】
前記番組情報パケット差替手段が、差替番組の放送時間を指定して前記番組情報ストリーム中の差替対象の番組を置き換えることを特徴とする請求項６記載の放送送信装置。
【請求項１０】
前記番組情報ストリーム差替手段が、差替番組の放送時間を指定して、前記番組情報ストリーム中の番組の放送時間が差替番組の放送時間と同一もしくは差替番組の放送時間内に含まれる場合に差替番組と置き換えることを特徴とする請求項８記載の放送送信装置。
【請求項１１】
前記番組情報パケット差替手段が、差替番組の放送時間を指定して、前記番組情報ストリーム中の番組の放送時間が差替番組の放送時間と同一もしくは差替番組の放送時間内に含まれる場合に差替番組と置き換えることを特徴とする請求項９記載の放送送信装置。
【請求項１２】
前記番組情報ストリーム差替手段が、差替対象の番組の識別子を指定して、前記番組情報ストリーム中で該当する番組を置き換えることを特徴とする請求項４記載の放送送信装置。
【請求項１３】
前記番組情報パケット差替手段が、差替対象の番組の識別子を指定して、前記番組情報ストリーム中で該当する番組を置き換えることを特徴とする請求項６記載の放送送信装置。
【請求項１４】
前記番組情報ストリーム差替手段に代えて、番組情報セクション差替手段を備え、
前記番組情報セクション差替手段が、連携局から番組情報セクションを受け取る番組情報セクション取得手段と、前記番組情報セクションから差し替え対象の番組情報セクションを抽出する番組情報セクション検出手段と、
差替番組情報セクションを生成する差替番組情報セクション生成手段と、
前記番組情報セクション中の差替対象の１つまたは複数の番組に対する番組情報セクションを前記差替番組情報セクションで置き換える番組情報セクション差替手段と、
前記番組情報セクション差替手段で置き換えた後の番組情報セクションを繰り返し送出し、番組情報ストリームを作成する番組情報セクション送出手段と、
を備え、
連携局から番組情報セクションを受け取って、差し替えられる対象の、自局の番組情報から生成した１つまたは複数の番組の番組情報セクションを、前記差替番組情報セクションで置き換えることを特徴とする請求項１記載の放送送信装置。
【請求項１５】
番組情報セクション中の差し替え対象は、現在と次の番組に関する時系列データであるスケジュールＥＩＴであることを特徴とする請求項１４記載の放送送信装置。
【請求項１６】
連携局へ切替信号を送信して、番組情報セクションを差し替える切替手段を備え、切替信号に従って、番組情報セクションを差し替えることを特徴とする請求項４記載の放送送信装置。
【請求項１７】
連携局へ切替信号を送信して、番組情報セクションを差し替える切替手段を備え、切替信号に従って、番組情報セクションを差し替えることを特徴とする請求項６記載の放送送信装置。
【請求項１８】
前記差替番組情報セクション生成手段が、それぞれの連携局で固有の属性にあわせて、番組情報セクションを生成することを特徴とする請求項４記載の放送送信装置。
【請求項１９】
前記差替番組情報パケット生成手段が、それぞれの連携局で固有の属性にあわせて、番組情報パケットを生成することを特徴とする請求項６記載の放送送信装置。
【発明の詳細な説明】
技術分野
本発明は、映像・音声など番組を構成する情報と同期し多重化して送信される番組制御情報の生成および送信を行なう番組放送システムに用いる放送送信装置、特に、番組を連携する局の間で共通の番組制御情報を生成および送信する放送送信装置に関するものである。
背景技術
近年、通信技術およびデータ処理技術の発展によりオーディオ情報やビジュアル情報といったマルチメディア情報がデジタル化されて利用者に提供されるようになってきた。
デジタル放送においては、放送局が番組を放送する場合、映像や音声、データの他に、それらの情報を受信機で制御するための情報である番組制御情報を送出する。番組制御情報は、番組の案内情報だけではなく、映像や音声など、番組を構成している情報を指し示す情報が含まれているため、対応する番組に同期して送出する必要がある。この番組制御情報を生成して送出する番組情報生成装置としては、すでに提案されている従来の技術として、例えば、特開平１１−２５２５１６号公報に開示された「放送システムの制御情報生成装置」がある。
この従来技術は、番組スケジュール情報に変更があるかを定期的にチェックすることにより、変更検出を行い、毎回送出範囲内での変更差分を生成することが可能になることを目的としたものである。
しかしながら、上記のような番組放送システムでは、連携局間で共有の番組を放送する場合に、それぞれの放送番組とともに送信する番組制御情報を、連携局間で共有することは困難であった。
発明の開示
本発明は、上記のような従来の課題を考慮し、放送番組を連携する複数の放送局に番組制御情報を互いに提供する手段を備えることにより、前記連携する放送局の間で、共通の番組制御情報を生成して送出できるようにすることである。
本発明の第２の目的は、相互に連携する複数の放送局間で共通の番組制御情報を送出するに当たり、放送中の番組であっても前記番組制御情報をリアルタイムで送出することができる放送送信装置を提供することである。
本発明の放送送信装置は、上記の課題を解決するために、自局の番組の番組情報から、番組情報セクションを生成する番組情報セクション生成手段と、前記番組情報セクションのうち、差し替えられる対象となった１つまたは複数の番組に対応する番組情報セクションを、連携局からの１つまたは複数の番組情報ストリーム中の対応する番組情報セクションで置き換えた差替番組情報ストリームを生成する番組情報ストリーム差替手段とを備えて成る。かかる構成により、連携局からの番組情報ストリームのうち、一部の番組情報セクションを他の番組情報から生成した番組情報セクションに置き替えた差替番組情報ストリームを生成することにより、連携する局の間で番組制御情報を共有することができる。
本発明は第１の態様として、自局の番組情報セクションのうち、一部の番組情報セクションを、連携局からの番組情報ストリームから抽出した差替番組情報セクションに置き替えた差替番組情報ストリームを生成することを特徴とするものである。このような態様により、連携する局の間で番組制御情報を共有することができるという効果を奏するものである。
本発明は第２の態様として、連携局から番組情報ストリームを受け取って、差替番組情報セクションを抽出して置き換えることを特徴とするものである。このような態様により、映像データおよび音声データと同一のストリームフォーマット形式で送受信し、番組情報セクションに対し、詳細な編集を行うことができるという効果を奏するものである。
本発明は第３の態様として、連携局から番組情報ストリームを受け取って、番組情報ストリームを構成する番組情報パケットの内容を置き換えることを特徴とするものである。このような態様により、映像データおよび音声データと同一のストリームフォーマット形式で送受信し、番組情報セクションに対し、高速編集を行うことができるという効果を奏するものである。
本発明は第４の態様として、他の連携局から番組情報セクションを受け取って置き換えることを特徴とするものである。このような態様により、番組情報セクションを予め送信しておくことと、また変更のあった番組情報セクションのみ送信することが可能となり、番組情報セクションの編集時間をより多く確保することができるという効果を奏するものである。
本発明は第５の態様として、それぞれの連携局で独立して作成するローカル番組に対する番組情報セクションを１つまたは複数の局で生成し配信することを特徴とするものである。このような態様により、拠点局などでローカル番組に対する番組情報セクションをまとめて生成することができ、他の連携局で、番組情報セクション生成に対する運用負担や設備を極力少なくすることができ、省スペース・コストダウンを図ることができるという効果を奏するものである。
本発明は第６の態様として、切替信号に従って、番組情報セクションまたは番組情報パケットを差し替えることを特徴とするものである。このような態様により、連携局の間で、ローカル番組を切り替える場合にも、番組情報セクションまたは番組情報パケットを高速に切り替えることができるという効果を奏するものである。
本発明は第７の態様として、それぞれの連携局で固有の属性に合わせて、番組情報セクションまたは番組情報パケットを生成することを特徴とするものである。このような態様により、連携局の間で、それぞれの固有の局設備に対応した、番組情報ストリームを生成することができるという効果を奏するものである。
本発明の上記目的および利点は、図面を参照して説明される以下の実施の形態によって、より一層明らかになるであろう。
発明の好ましい実施の態様
以下、本発明の放送送信装置の一実施の形態について、図面を参照して詳細に説明する。なお、本発明は、これら実施の形態に何等限定されるものではなく、その要旨を逸脱しない範囲においては種々なる態様で実施し得るものである。
（実施の形態１）
図１は、本発明の実施の形態１に係る放送送信装置を用いた番組放送システムの構成を示すブロック図である。図１において、１０１は放送番組を入力する番組情報入力手段である。１０２は番組情報を蓄積して管理する、番組情報蓄積手段である。１０３は番組情報から自己局（以下自局という）の番組情報セクションを生成する、番組情報セクション生成手段である。１０４は番組情報セクションを蓄積して管理する、番組情報セクション蓄積手段である。１０９は他の連携局（以下他局という）から番組の映像データ及び音声データと番組情報を多重化したストリームを取得するストリーム取得手段である。１０５はストリーム取得手段１０９から取得されたストリームから差替番組情報セクションを抽出する差替番組情報セクション生成手段である。連携局間における番組の差し替えは、自局の１つまたは複数の番組を、他局の１つまたは複数の番組に差し替える、という形で行なわれる。１０６は前記番組情報セクション生成手段１０３が生成した自局の番組情報セクションを置き換える、番組情報セクション差替手段である。１０７は番組情報セクションを繰り返し送出し、番組情報ストリームを作成する、番組情報セクション送出手段である。１０８は番組情報ストリームを送信する衛星アンテナなどの送信手段である。１１０は番組の映像データ及び音声データを送出する映像音声データ送出手段である。１１１は番組の映像データ及び音声データを多重化して送出する多重化手段である。
以上のように構成された本実施の形態における番組放送システムの動作について説明する。番組情報入力手段１０１から自局の番組情報を入力し、番組情報蓄積手段１０２で蓄積管理し、番組情報セクション生成手段１０３で、自局の番組情報セクションを生成し、番組情報セクション蓄積手段１０４で前記自局の番組情報セクションを蓄積管理する。
番組情報セクションの「セクション」とは、トランスポートストリームパケットにマッピングするために使用されるシンタクス構造を意味する。そして、上記番組情報セクション生成手段１０３で作成された番組情報セクションの一例を図２に示す。この番組情報セクションにおいて、
ｔａｂｌｅ ｉｄは、この番組情報セクションに関連のある番組情報データテーブルの識別子が書込まれる。ＥＩＴ（Ｅｖｅｎｔ  ｉｎｆｏｒｍａｔｉｏｎ  ｔａｂｌｅ）の場合は、番組情報セクションであることを示す識別子が書き込まれる。
ｓｅｃｔｉｏｎ ｓｙｎｔａｘ ｉｎｄｉｃａｔｏｒは、セクションシンタクスを指示するデータである。
ｓｅｃｔｉｏｎ ｌｅｎｇｔｈは、セクションのデータ長を表すデータである。これは、セクション長フィールドの直後からセクションの最後までのセクションのバイト数を規定する。
ｓｅｒｖｉｃｅ ｉｄは、サービス識別を表すデータである。これは、そのトランスポートストリーム内の他のサービスから、このサービスを識別するためのラベルの役割をする。
ｅｖｅｎｔ ｉｄは、イベントＩＤ、番組識別を示す、サービス内で番組毎にユニークに付与される。
ｓｔａｒｔ ｔｉｍｅｓは、上記のｅｖｅｎｔ ｉｄを持つ、番組の開始時刻を表す。
ｄｕｒａｔｉｏｎ ｔｉｍｅｓは、上記のｅｖｅｎｔ ｉｄを持つ番組の継続時間を示す。
一方、差替番組情報セクション生成手段１０５は、ストリーム取得手段１０９で連携局から、番組の映像データおよび音声データと多重化した番組情報ストリームとを受け取って、映像データおよび音声データと分離して番組情報ストリームを取得し、連携局の番組情報ストリームのうち、一部の番組情報セクションに対して、自局用の連携局の差替番組情報セクションを生成する。番組情報セクション差替手段１０６では、番組情報セクション蓄積手段１０４で蓄積管理している、自局の番組情報セクションを、差替番組情報セクション生成手段１０５で生成した連携局の差替番組情報セクションに置き換えて、自局用の番組情報セクションとする。番組情報セクション送出手段１０７で、自局用の番組情報セクションを繰り返し送出し、自局用の番組情報ストリームを作成し、多重化手段１１１で映像音声データ送出手段１１０から送出される映像データおよび音声データと多重化し、自局用のストリームとして送信手段１０８で送信する。
なお本実施の形態では、番組情報ストリームは映像データおよび音声データとして多重化して配信するとした例で説明したが、これに限定する必要はなく、例えば、番組情報ストリームと映像データおよび音声データのストリームとは別個に受け取って配信しても、同様に実施可能である。
（実施の形態２）
次に、本発明の放送送信装置における自局の番組情報セクションを、連携局の差替番組情報セクションに置き換える構成および動作について説明する。図３は本発明の実施の形態２に係る放送送信装置を用いた番組放送システムの基本的な構成を示すブロック図である。本実施の形態における番組放送システムは、連携する相手局、すなわち他局の放送送信装置２００と、自局の放送送信装置２１０とにより構成される。
図３中の他局の放送送信装置２００において、２０１は他局の番組情報を管理する番組情報管理手段である。２０２は他局の番組情報から番組情報ストリームを生成して送出する番組情報ストリーム生成送出手段である。２０３は連携する相手側の放送送信装置２０１に番組の切替を通知する切替手段である。
図３中の自局の放送送信装置２１０において、２１１は自局の番組情報を管理する番組情報管理手段である。２１２は自局の番組情報から自局の番組情報セクションを生成する番組情報セクション生成手段である。２１３は他局から当該他局の番組情報ストリームを取得する番組情報ストリーム取得手段である。２１４は他局の番組情報ストリームから変更のあった番組情報セクションを検出（或いは抽出）する番組情報セクション検出手段である。２１５は他局の差替番組情報セクションを生成する差替番組情報セクション生成手段である。２１６は自局の番組情報セクションを他局の差替番組情報セクションに差し替え、自局用の番組情報セクションとする番組情報セクション差替手段である。２１７は自局用の番組情報セクションを繰り返し送出し、自局用の番組情報ストリームを作成する番組情報セクション送出手段である。２１８は他局の番組情報管理手段２０１に対して自局の番組情報を入力する連携番組情報入力手段である。
なお、上記の他に、番組の映像および音声を送出する映像音声送出手段や、番組の映像および音声と番組情報ストリームを多重化して送出する多重化手段などを必要とするが、本実施例の主眼ではないので説明を省略する。
まず、他局側の放送送信装置２００において当該他局の番組情報ストリームを送出する動作について説明する。他局側の放送送信装置２００では、番組情報管理手段２０１で管理されている番組情報から、番組情報ストリーム生成送出手段２０２で他局の番組情報ストリームを生成して送出する。さらに、本実施の形態における番組放送システムでは、自局側の放送送信装置２１０の連携番組情報入力手段２１８から、自局の番組情報を、他局の番組情報管理手段２０１に入力し、番組情報ストリーム生成送出手段２０２で、他局の番組情報ストリームとして送出する。
次に、自局の番組情報セクションを生成する動作について説明する。自局の放送送信装置２１０では、番組情報管理手段２１１で管理している自局の番組情報から、番組情報セクション生成手段２１２で自局の番組情報セクションを生成する。
次に、他局の番組情報ストリームを自局用の番組情報ストリームに差し替える動作について説明する。図４は本実施の形態における他局の番組情報ストリームを、自局用の番組情報ストリームに差し替える動作を説明するフロー図である。このフロー図に示すように、自局の番組放送送信装置２１０では次の複数段階にわたる動作を行なう。
（１）他局の番組情報ストリームの取得（Ｓ３０１）
番組情報ストリーム取得手段２１３で、他局が送出した他局の番組情報ストリームを受け取る。
（２）差替番組情報セクションの検出（Ｓ３０２）
番組情報セクション検出手段２１４では、番組情報ストリームから多重化されているＡＶデータを分離して番組情報セクションを検出し、番組情報セクションのヘッダ情報から番組情報ＩＤを検出し、変更のあった番組情報セクションを、次のＳ３０６およびＳ３０７の処理によって検出する。
・変更のあった番組情報データテーブルの抽出（Ｓ３０６）
番組情報セクションのヘッダからバージョン番号を検出し、バージョン番号が更新されている番組情報データテーブルを抽出する。
・番組情報セクションの内容に変更がないかチェック（Ｓ３０７）
抽出した番組情報データテーブルのＩＤと一致する、番組情報管理手段２１１で管理している番組情報を抽出し、番組情報セクションの内容に変更がないかチェックする。このチェック処理においては、次の（ａ）、（ｂ）、（ｃ）の処理を実行する。
ａ）番組情報セクションのデータ値のチェック（Ｓ３０８）
番組情報セクションのデータ値が、番組情報管理手段２１１で管理している番組情報のデータ値と同一かチェックする。
ｂ）番組情報セクションのデータサイズのチェック（Ｓ３０９）
番組情報セクションのデータのバイトサイズが番組情報管理手段２１１で管理している番組情報のデータのバイトサイズと同一かチェックする。
ｃ）放送枠のチェック（Ｓ３１０）
番組情報セクションのうち、番組情報テーブルのＥＩＴのｓｔａｒｔ ｔｉｍｅ（放送時刻）とｄｕｒａｔｉｏｎ（放送時間）という放送枠に変更がないかチェックする。
（３）差替番組情報セクションの生成（Ｓ３０３）
差替番組情報セクション生成手段２１５で、番組情報管理手段２１１で管理している番組情報に従って変更のあった他局の番組情報セクションを自局用に生成する。すなわち、差替番組情報セクションの生成に際しては、下記Ｓ３１１，Ｓ３１２，Ｓ３１３，Ｓ３１４の処理が実行される。
特に、それぞれの連携局（この場合は自局）で固有の属性にあわせた番組情報セクションを生成する放送送信装置では、再生成した番組情報セクションに対し、データ間の整合性とサイズなどが自局の属性にあっているかをチェックする。
・ＩＤの交換（Ｓ３１１）
各局ごとに固有のＩＤである、サービスＩＤ、イベントＩＤなどは、他局と自局のＩＤを対応させた識別子対応表（図７、図８）に従って、自局用のＩＤに変更し、番組情報セクションを再生成する。ここで、サービスＩＤとはチャネルＮｏ．を表し、またイベントＩＤは個々の番組の識別を表す。
特に、それぞれの連携局で固有の属性にあわせた番組情報セクションを生成する放送送信装置では、再生成した番組情報セクションに対しＩＤデータ間の関係などをチェックし、整合性が自局の属性にあっていることを確認する。
・番組情報セクションのデータ値の交換（Ｓ３１２）
フラグ値など、番組情報セクションのデータ値が変更されている場合は、番組情報管理手段２１１の番組情報に従って、他局の番組情報セクションのデータ値を変更し、番組情報セクションを再生成する。
特に、それぞれの連携局で固有の属性にあわせた番組情報セクションを生成する放送送信装置では、再生成した番組情報セクションに対しフラグ値の範囲などをチェックし、整合性とサイズなどが自局の属性にあっていることを確認する。
・バイトサイズの変更（Ｓ３１３）
番組名などの名称や番組の概要を説明する概要情報などの文字列情報が変更されている場合は、番組情報管理手段２１１で管理している番組情報に従って番組情報セクションのデータ値を変更し、番組情報セクションを再生成する。
特に、それぞれの連携局で固有の属性にあわせた番組情報セクションを生成する放送送信装置では、再生成した番組情報セクションに対しサイズなどが自局の制限帯域をオーバーしないかなどをチェックし、番組情報セクションのサイズが自局の属性にあっていることを確認する。
・放送枠の交換（Ｓ３１４）
番組情報セクションのうち番組情報テーブルのＥＩＴの放送枠が変更されている場合は、番組情報管理手段２１１で管理している番組情報に従って番組情報セクションの放送枠を変更し、番組情報セクションを再生成する。
特に、それぞれの連携局で固有の属性にあわせた番組情報セクションを生成する放送送信装置では、再生成した番組情報セクションに対しフラグ値の範囲などをチェックし、整合性とサイズなどが自局の属性にあっていることを確認する。また、サイズなどが自局の制限帯域をオーバーしないかなどをチェックし、番組情報セクションのサイズが自局の属性にあっていることを確認する。
（４）番組情報セクションの差し替え（Ｓ３０４）
番組情報セクション差替手段２１６は、番組情報セクション生成手段２１２で生成した自局の番組情報セクションを、差替番組情報セクション生成手段２１５で生成した他局の差替番組情報セクションに差し替え、自局用の番組情報セクションとする。
特に、番組の放送時間を指定して差し替える手段を有する放送送信装置では、番組の放送予定時刻または放送開始時刻を指定して、該当する番組を抽出し、その番組を構成する番組情報セクションを差し替える。
特に番組の識別子を指定して差し替える手段を有する放送送信装置では、番組の識別子であるサービスＩＤとイベントＩＤを指定して、該当する番組を抽出し、その番組を構成する番組情報セクションを差し替える。
（５）番組情報セクションの送出（Ｓ３０５）
番組情報セクション送出手段２１７は、番組情報セクション差替手段２１６で生成した自局用の番組情報セクションを繰り返し出力し、自局用の番組情報ストリームを作成して送出する。
特に、番組情報セクションを差し替える切替手段２０３を備えている放送送信装置では、切替手段２０３からの切替信号に従って自局の番組情報セクションを、番組情報セクション切替手段２１６で他局の差替番組情報セクションに差し替えて送出する。
以上のような動作のうち、スケジュールの置き換えについては特に、番組に関する時系列に並んだスケジュール情報であるスケジュールＥＩＴまたは現在と次の番組に関する時系列情報であるｐｆＥＩＴ（ｐｆ：ｐｒｅｓｅｎｔ  ｆｏｌｌｏｗｉｎｇ；ＥＩＴ：Ｅｖｅｎｔ  Ｉｎｆｏｒｍａｔｉｏｎ  Ｔａｂｌｅ）に対して置き換えを行うものである。また、本発明の放送送信装置では、特に、ｐｆＥＩＴでは、現在または次の番組に関するストリームのうち、そのどちらかもしくは両方に対し以上のような動作を行なうものである。また、本発明の放送送信装置では、特に、スケジュールＥＩＴに対しては、他局から番組情報ストリームを受け取らず、番組情報セクションを受け取って以上のような動作を行うものである。
（実施の形態３）
図５は、本発明の実施の形態３に係る放送送信装置を用いた番組放送システムの基本的な構成を示すブロック図である。本実施の形態に係る番組放送システムは、連携する相手局、すなわち他局の放送送信装置４００と、自局の放送送信装置４１０とにより構成される。
図５の他局の放送送信装置４００において、４０１は他局の番組情報を管理する番組情報管理手段である。４０２は他局の番組情報から番組情報ストリームを生成して送出する番組情報ストリーム生成送出手段である。４０３は連携する相手側の放送送信装置４０１に番組の切替を通知する切替手段である。
自局の放送送信装置４１０において、４１１は、自局の番組情報を管理する番組情報管理手段である。４１２は自局の番組情報から自局の番組情報セクションを生成する番組情報セクション生成手段である。４１３は他局から当該他局の番組情報ストリームを取得する番組情報ストリーム取得手段である。４１４は他局の番組情報ストリームから変更のあった番組情報パケットを検出する番組情報パケット検出手段である。４１５は他局の差替番組情報パケットを生成する差替番組情報パケット生成手段である。４１６は自局の番組情報パケットを他局の差替番組情報パケットに差し替え自局用の番組情報パケットとする番組情報パケット差替手段である。４１７は他局に自局の番組情報を入力する連携番組情報入力手段である。
なお、上記の他に、番組の映像および音声を送出する映像音声送出手段や、番組の映像および音声と番組情報ストリームを多重化して送出する多重化手段などを必要とするが、本実施例の主眼ではないので説明を省略する。
まず、他局の番組情報ストリームを送出する動作について説明する。この番組情報ストリーム送出動作において、他局の放送送信装置４００では、番組情報管理手段４０１で管理されている番組情報から、番組情報ストリーム生成送出手段４０２で、他局の番組情報ストリームを生成して送出する。さらに、連携局へ番組情報を入力する連携番組情報入力手段を備えた放送送信装置では、自局の放送送信装置４１０の連携番組情報入力手段４１７から、自局の番組情報を他局の番組情報管理手段４０１に入力し、番組情報ストリーム生成送出手段４０２で連携する番組情報セクションを１つまたは複数の局でまとめて生成し、他局の番組情報ストリームとして送出する。
次に、自局の番組情報セクションを生成する動作について、説明する。自局の放送送信装置４１０では、番組情報管理手段４１１で管理している自局の番組情報から、番組情報セクション生成手段４１２で自局の番組情報セクションを生成する。
次に、他局の番組情報ストリームを自局用の番組情報ストリームに差し替える動作について説明する。図６は本実施の形態における他局の番組情報ストリームを自局用の番組情報ストリームに差し替える動作を説明するフロー図である。
自局の放送送信装置４１０では、
（１）他局の番組情報ストリームの取得（Ｓ５０１）
番組情報ストリーム取得手段４１３で、他局が送出した、当該他局の番組情報ストリームを受け取る。
（２）差替番組情報パケットの検出（Ｓ５０２）
番組情報パケット検出手段４１４では、番組情報ストリームから、番組情報パケットを検出し、番組情報パケットのヘッダ情報から、番組情報ＩＤを検出し、変更のあった番組情報パケットを検出する。
・変更のあった番組情報データテーブルの抽出（Ｓ５０５）
番組情報パケットのヘッダから、バージョン番号を検出し、バージョン番号が更新されている番組情報データテーブルを抽出する。
・番組情報パケットの内容に変更がないかチェック（Ｓ５０６）
抽出した番組情報データテーブルのＩＤと一致する、番組情報管理手段４１１で管理している番組情報を抽出し、番組情報パケットの内容に変更がないかチェックする。
ａ）番組情報パケットのデータ値のチェック（Ｓ５０７）
番組情報パケットのデータ値が、番組情報管理手段４１１で管理している、番組情報のデータ値と同一かチェックする。
（３）差替番組情報パケットの生成（Ｓ５０３）
差替番組情報パケット生成手段４１５で、番組情報管理手段４１１で管理している番組情報に従って、変更のあった他局の番組情報パケットを、自局用に生成する。
特に、それぞれの連携局で固有の属性にあわせた番組情報セクションを生成する放送送信装置では、再生成した番組情報セクションに対しデータ間の整合性とサイズなどが自局の属性にあっているかをチェックする。
・ＩＤの交換（Ｓ５０８）
図７および図８は他局と自局のＩＤを対応させた表を示す図である。この動作では、各局ごとに固有のＩＤである、サービスＩＤ、イベントＩＤなどは、他局と自局のＩＤを対応させた識別子対応表（図７、図８）に従って、自局用のＩＤに変更し、番組情報パケットを生成する。
特に、それぞれの連携局で固有の属性にあわせた番組情報セクションを生成する放送送信装置では、再生成した番組情報セクションに対しＩＤデータ間の関係などをチェックし、整合性が自局の属性にあっていることを確認する。
・番組情報セクションのデータ値の交換（Ｓ５０９）
フラグ値など、番組情報セクションのデータ値が変更されている場合は、番組情報管理手段４１１の番組情報に従って、他局の番組情報セクションのデータ値を変更し、番組情報パケットを生成する。
特に、それぞれの連携局で固有の属性にあわせた番組情報セクションを生成する放送送信装置では、再生成した番組情報セクションに対しフラグ値の範囲などをチェックし、整合性と際すなどが自局の属性にあっていることを確認する。
（４）番組情報パケットの差替（Ｓ５０４）
番組情報パケット差替手段４１６で、番組情報セクション送出手段４１８で送出している、自局の番組情報ストリームの番組情報パケットを、差替番組情報パケット生成手段４１５で生成した、他局の差替番組情報パケットに差し替え、自局用の番組情報ストリームとする。特に、連携する相手局へ切替信号を送信して番組情報パケットを差し替える切替手段を備えた放送送信装置では、切替手段４０３からの切替信号に従って自局の番組情報パケットを番組情報パケット差替手段４１６で他局の差替番組情報パケットに差し替えて送出する。
特に、番組の放送時間を指定して差し替える手段を有する放送送信装置では、番組の放送予定時刻または放送開始時刻を指定して、該当する番組を抽出し、その番組を構成する番組情報パケットを差し替える。
特に番組の識別子を指定して差し替える手段を有する放送送信装置では、番組の識別子であるサービスＩＤとイベントＩＤを指定して、該当する番組を抽出し、その番組を構成する番組情報パケットを差し替える。
以上のような動作については、特に、ｐｆＥＩＴに対して置き換えを行うものである。また、本発明の放送送信装置では、特にｐｆＥＩＴでは、現在または次の番組のストリームに関する、そのどちらかもしくは両方に対し以上のような動作を行なうものである。
なお、本実施の形態では、番組情報セクションおよび番組情報パケットとして、差し替える対象を、主に、番組情報テーブルのＥＩＴとした例で説明したが、これに限定する必要はなく、例えば、その他の情報テーブルである、ＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＢＡＴ（Ｂｏｕｑｕｅｓｔ  Ａｓｓｏｃｏａｔｉｏｎ  Ｔａｂｌｅ）などについても、同様に実施可能である。
なお、本実施の形態では、他局から受け取る形式は、番組情報ストリーム形式、または、番組情報セクション形式とした例で説明したが、これに限定する必要はなく、例えば、ファイル形式などについても、同様に実施可能である。
なお、本実施の形態では、番組情報ストリームまたは番組情報セクションは、関連するＡＶデータと同様の他局から配信するとした例で説明したが、これに限定する必要はなく、例えば、関連するＡＶデータとは異なる連携局から配信しても、同様に実施可能である。
なお、本実施の形態では、連携する相手局を１つとした例で説明したが、これに限定する必要はなく、例えば、複数の連携局から番組情報ストリームまたは番組情報セクションを受け取っても、同様に実施可能である。
なお、本実施の形態では、自局の番組情報セクションまたは番組情報パケットを他局の差替番組情報セクションまたは差替番組情報パケットに差し替える切替手段を備えている放送送信装置では、他局から切替信号を送信した例で説明したが、これに限定する必要はなく、例えば、ローカル局の切替信号に従って差し替えても、同様に実施可能である。
なお、本実施の形態では、それぞれの連携局で固有の属性にあわせて番組情報セクションまたは番組情報パケットを生成する放送送信装置では、識別子対応表に従って置き換えるとした例で説明したが、これに限定する必要はなく、例えば、構成情報に従って差し替えても、同様に実施可能である。
以上のように、本実施の形態では、番組情報セクションを繰り返し送出する番組情報ストリームと、番組情報ストリームのうち、一部の番組情報セクションを、他の番組情報から生成した番組情報セクションに置き替えた番組情報ストリームを生成することにより、連携する局の間で番組制御情報を共有することができ、その実用的効果は大きい。
さらに本実施の形態では、他局から番組情報ストリームを受け取って差替番組情報セクションを検出して置き換えることにより、映像データおよび音声データと同一のストリームフォーマット形式で送受信し、番組情報セクションに対し詳細な編集を行うことができ、その実用的効果は大きい。
さらに本実施の形態では、他局から番組情報ストリームを受け取って番組情報ストリームを構成する番組情報パケットの内容を置き換えることにより、映像データおよび音声データと同一のストリームフォーマット形式で送受信し、番組情報セクションに対し高速編集を行うことができ、その実用的効果は大きい。
さらに本実施の形態では、他局から番組情報セクションを受け取って置き換えることにより番組情報セクションを予め送信しておくことと、また変更のあった番組情報セクションのみ送信することが可能となり、番組情報セクションの編集時間をより多く確保することができ、その実用的効果は大きい。
さらに本実施の形態では、連携する番組情報セクションを１つまたは複数の局でまとめて生成し配信することにより拠点局などでまとめて番組情報セクションを生成することができ、他の連携局で番組情報セクション生成に対する運用負担や設備を極力少なくして、省スペース・コストダウンを図ることができ、その実用的効果は大きい。
さらに本実施の形態では、番組の放送時間の変更時に、切替信号に従って番組情報セクションを差し替えることにより、連携局の間で番組の放送時間を変更する場合にも番組情報セクションを高速に切り替えることができ、その実用的効果は大きい。
さらに本実施の形態では、番組情報セクションに対しデータ間の整合性とサイズなどが自局の属性にあっているかをチェックすることにより、連携局の間でそれぞれの固有の局設備に対応した番組情報ストリームを生成することができ、その実用的効果は大きい。
本発明は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図面の簡単な説明】
図１は、本発明の実施の形態１に係る放送送信装置の構成を示す図である。
図２は、本発明の実施の形態１において番組情報セクション生成手段で作成された番組情報セクションの一例を示す図である。
図３は、本発明の実施の形態２に係る放送送信装置の基本的な構成を示すブロック図である。
図４は、前記実施の形態２における他局の番組情報ストリームを、自局用の番組情報ストリームに差し替える処理動作を説明するフロー図である。
図５は、本発明の実施の形態３に係る放送送信装置の基本的な構成を示すブロック図である。
図６は、前記実施の形態３における他局の番組情報ストリームを、自局用の番組情報ストリームに差し替える動作を説明するフロー図である。
図７は、本発明の放送送信装置の番組情報セクション差替時に使用する他局と自局のＩＤを対応させたサービスＩＤ対応表を示す図である。
図８は、本発明の放送送信装置の番組情報セクション差替時に使用する他局と自局のＩＤを対応させたイベントＩＤ対応表を示す図である。
【図１】
2002078225.tif 000003
【図２】
2002078225.tif 000004
【図３】
2002078225.tif 000005
【図４】
2002078225.tif 000006
【図５】
2002078225.tif 000007
【図６】
2002078225.tif 000008
【図７】
2002078225.tif 000009
【図８】
2002078225.tif 000010
【国際調査報告】
2002078225.tif 000011
2002078225.tif 000012
2002078225.tif 000013
2002078225.tif 000014